(57)【要約】      （修正有）【課題】三重フープを提供する。【解決手段】第１フープ１、第２フープ２及び第３フープ３を含み、第３フープは第１装着部４と第２装着部５を含み、第１フープの一端は第１装着部を介して第３フープに装着されており、第１フープと第３フープの間には第１隙間６が設けられており、第２フープの一端は第２装着部を介して第３フープに装着されており、第２フープと第３フープの間には第２隙間７が設けられており、第１フープの他端と第２フープの他端の間には第１ボルト部材１０が設けられている。第１フープと第２フープの間に第３フープを設けることで、装着時には第１ボルト部材で第１フープと第２フープを締め付けるだけで、フープ全体を電柱に装着可能となる。そのため、フープの装着手順が簡略化されるとともに、フープ装着の柔軟性が向上する。また、フープと電柱との接触面積が拡大されるため、フープの固定効果が向上し、フープと電柱との密着を保証可能となる。【選択図】図１
0003219101.tif 000002
【実用新案登録請求の範囲】
【請求項１】
第１フープと第２フープを含む三連フープにおいて、
更に、第１フープと第２フープの間に設けられる第３フープを含み、前記第３フープは第１装着部と第２装着部を含み、前記第１フープの一端は、第１装着部を介して第３フープに装着されており、前記第１フープと第３フープの間には第１隙間が設けられており、前記第２フープの一端は、第２装着部を介して第３フープに装着されており、前記第２フープと第３フープの間には第２隙間が設けられており、前記第１フープの他端と第２フープの他端の間には第１ボルト部材が設けられていることを特徴とする三連フープ。
【請求項２】
前記第１装着部は第３フープに設けられる第１装着プレートであり、前記第１フープの一端には第１固定プレートが設けられており、前記第１フープの一端は第１固定プレートを介して第１装着プレートに固定接続されており、前記第２装着部は第３フープに設けられる第２装着プレートであり、前記第２フープの一端には第２固定プレートが設けられており、前記第２フープの一端は第２固定プレートを介して第２装着プレートに固定接続されていることを特徴とする請求項１に記載の三連フープ。
【請求項３】
前記第１固定プレートと第１装着プレート、第２固定プレートと第２装着プレートは、いずれも第２ボルト部材を介して固定接続されていることを特徴とする請求項２に記載の三連フープ。
【請求項４】
前記第１装着プレート及び第２装着プレートと第３フープは、一体型構造であることを特徴とする請求項２に記載の三連フープ。
【請求項５】
前記第１隙間の弧度は第２隙間の弧度と等しいことを特徴とする請求項１に記載の三連フープ。
【請求項６】
前記第３フープに対応する中心角は３５〜４０°であることを特徴とする請求項１に記載の三連フープ。
【考案の詳細な説明】
【技術分野】
【０００１】
本考案は、三連フープに関する。
【背景技術】
【０００２】
フープは配電線路の電柱によく見られ、腕金の固定や電柱の頭部及び中央部といった部位のケーブルを固定する役割を果たす。フープは対称に設けられる２つのフープ本体を含み、各フープ本体が、円弧状のフープ部と、フープ部の両端にそれぞれ位置してプレート状をなす２つの緊締部を含む。また、対向する２つの緊締部はボルトにより固定されている。しかし、フープは装着過程において着脱手順が煩雑である。且つ、２つの緊締部のうち一方が緩んだ場合、着脱式フープは電柱上で摺動しやすいため安全性が高いとはいえない。また、全体の装着時における柔軟性にも劣る。
【考案の概要】
【考案が解決しようとする課題】
【０００３】
本考案は、従来の二連フープにおける２つの緊締部は装着時の手順が煩雑であるとの技術的課題が解決される三連フープを提供することを解決すべき技術的課題とする。
【課題を解決するための手段】
【０００４】
上記の技術的課題を解決すべく、以下の技術方案により本考案を実現する。即ち、三連フープであって、第１フープ、第２フープ、及び第１フープと第２フープの間に設けられる第３フープを含み、 前記第３フープは第１装着部と第２装着部を含み、前記第１フープの一端は、第１装着部を介して第３フープに装着されており、前記第１フープと第３フープの間には第１隙間が設けられており、前記第２フープの一端は、第２装着部を介して第３フープに装着されており、前記第２フープと第３フープの間には第２隙間が設けられており、前記第１フープの他端と第２フープの他端の間には第１ボルト部材が設けられている。
【０００５】
好ましくは、前記第１装着部は第３フープに設けられる第１装着プレートであり、前記第１フープの一端には第１固定プレートが設けられており、前記第１フープの一端は第１固定プレートを介して第１装着プレートに固定接続されており、前記第２装着部は第３フープに設けられる第２装着プレートであり、前記第２フープの一端には第２固定プレートが設けられており、前記第２フープの一端は第２固定プレートを介して第２装着プレートに固定接続されている。
【０００６】
好ましくは、前記第１固定プレートと第１装着プレート、第２固定プレートと第２装着プレートは、いずれも第２ボルト部材を介して固定接続されている。
【０００７】
好ましくは、前記第１装着プレート及び第２装着プレートと第３フープは、一体型構造である。
【０００８】
好ましくは、前記第１隙間の弧度は第２隙間の弧度と等しい。
【０００９】
好ましくは、前記第３フープに対応する中心角は３５〜４０°である。
【考案の効果】
【００１０】
以上述べたように、本考案は次のような利点を有する。
【００１１】
１．第１フープと第２フープの間に第３フープを設けることで、装着時には第１ボルト部材で第１フープと第２フープを締め付けるだけで、フープ全体を電柱に装着可能となる。そのため、フープの装着手順が簡略化され、フープ装着の柔軟性が向上するとともに、フープと電柱との相対的な摺動を回避可能となる。また、フープと電柱との接触面積を拡大可能なことから、フープと電柱との密着を保証可能となる。且つ、支持面が広いため安全性が高まる。また、第１装着部を介して第１フープの一端を第３フープに装着し、第２装着部を介して第２フープの一端を第３フープに装着していることから、第１フープ、第２フープ、第３フープによる全体形成を実現可能となり、全体強度が向上するとともに、着脱が容易となる。また、第１隙間と第２隙間を設けることで、第１フープと第２フープを締め付ける際の電柱に対するクランプ力の向上に有利となるため、フープによる固定効果が更に高まる。
【００１２】
２．第１装着部を第１装着プレートとして設け、第１フープの第１固定プレートを介して第１装着プレートに組み合わせ、装着しているため、第３フープに対する第１フープの迅速な固定を実現可能となる。また、第２装着部を第２装着プレートとして設け、第２フープの第２固定プレートを介して第２装着プレートに組み合わせ、装着しているため、第３フープに対する第２フープの迅速且つ安定的な固定を実現可能となる。したがって、フープ全体における装着の柔軟性を実現可能である。
【００１３】
３．第２ボルト部材によって、第１固定プレートと第１装着プレート、及び第２固定プレートと第２装着プレートの装着及び固定が実現されるため、着脱が容易となり、確実に接続される。これにより、フープ間の緩みが回避されることから、フープ装着時の緊締性が向上する。
【００１４】
４．第１装着プレート及び第２装着プレートと第３フープは一体型構造として設けられているため、第３フープの全体強度が向上するとともに、第１装着プレートと第２装着プレートの装着手順が簡略化される。
【００１５】
５．第１隙間の弧度と第２隙間の弧度が等しくなるよう設けているため、装着時において第１フープと第２フープに同様の可動自由度を持たせることが可能となる。また、フープ全体の安定性を保証可能となり、装着の安定性が向上するとともに、フープと電柱の装着時におけるクランプ力が更に高まる。
【００１６】
６．第３フープに対応する中心角が３５〜４０°となるよう設けているため、第３フープの全体加工に有利となり、第３フープの全体強度が向上する。なお、中心角が３５°よりも小さい場合には装着時にフープが緩みやすく、中心角が４０°よりも大きい場合には全体を加工しにくくなり、加工コストが増加してしまう。
【００１７】
以下に、図面を組み合わせて本考案につき更に説明する。
【図面の簡単な説明】
【００１８】
【図１】図１は、本考案における三連フープの構造を示す図である。
【図２】図２は、図１の右側面図である。
【考案を実施するための形態】
【００１９】
図１及び図２に示すように、三連フープは、第１フープ１、第２フープ２及び第１フープ１と第２フープ２の間に設けられる第３フープ３を含む。前記第３フープ３は、第１装着部４と第２装着部５を含む。前記第１フープ１の一端は第１装着部４を介して第３フープ３に装着されており、前記第１フープ１と第３フープ３の間には第１隙間６が設けられている。また、前記第２フープ２の一端は第２装着部５を介して第３フープ３に装着されており、前記第２フープ２と第３フープ３の間には第２隙間７が設けられている。このようにして、第１フープ１、第２フープ２、第３フープ３による全体形成を実現可能なことから、全体の強度が向上し、着脱が容易となる。また、第１隙間６と第２隙間７を設けることで、第１フープ１と第２フープ２を締め付ける際の電柱に対するクランプ力の向上に有利となるため、フープによる固定効果が更に高まる。また、前記第１フープ１の他端と第２フープ２の他端の間には第１ボルト部材１０が設けられている。装着時には、第１ボルト部材１０で第１フープ１と第２フープ２を締め付けるだけでフープを電柱に装着可能となる。そのため、フープの装着手順が簡略化され、フープ装着の柔軟性が向上するとともに、フープと電柱との相対的な摺動を回避可能となる。また、フープと電柱との接触面積を拡大可能なことから、フープと電柱との密着を保証可能となる。且つ、支持面が広いため安全性が高まる。
【００２０】
前記第１装着部４は、第３フープ３に設けられる第１装着プレートである。前記第１フープ１の一端には第１固定プレート８が設けられており、前記第１フープ１の一端は第１固定プレート８を介して第１装着プレートに固定接続されている。前記第２装着部５は、第３フープ３に設けられる第２装着プレートである。前記第２フープ２の一端には第２固定プレート９が設けられており、前記第２フープ２の一端は第２固定プレート９を介して第２装着プレートに固定接続されている。これにより、第３フープ３に対する第２フープ２の迅速且つ安定的な固定を実現可能となる。装着時の緊締性を高めるために、本実施例の第１装着プレート、第２装着プレート、第１固定プレート８、第２固定プレート９はいずれも２つずつ設けられており、フープ全体の装着の柔軟性を実現可能としている。
【００２１】
前記第１固定プレート８と第１装着プレート、第２固定プレート９と第２装着プレートは、いずれも第２ボルト部材１１を介して固定接続されている。第２ボルト部材１１は着脱が容易であり、接続が確実となる。よって、フープ間の緩みを回避可能となり、フープ装着時の緊締性が向上する。前記第１装着プレート及び第２装着プレートと第３フープ３は一体型構造であるため、第３フープ３の全体強度を向上可能であるとともに、第１装着プレートと第２装着プレートの装着手順が簡略化される。
【００２２】
前記第１隙間６の弧度は第２隙間７の弧度と等しいため、装着時において第１フープ１と第２フープ２に同様の可動自由度を持たせることが可能となる。また、フープ全体の安定性を保証可能となり、装着の安定性が向上するとともに、フープと電柱の装着時におけるクランプ力が更に高まる。前記第３フープ３の中心角は４０°であるため、第３フープ３の全体加工が容易となるとともに、第３フープ３の全体強度が向上する。また、装着時にフープと電柱との密着効果が最適化されるため、フープが容易に緩むことがなく、且つ、全体の加工が容易となる。
【００２３】
上記の好ましい実施例だけでなく、本考案にはその他の実施形態も存在する。当業者は本考案を元に各種の変更及び変形を実施可能であり、本考案の精神を逸脱しない限り、いずれも本考案に添付の請求の範囲に属する。
【符号の説明】
【００２４】
１  第１フープ
２  第２フープ
３  第３フープ
４  第１装着部
５  第２装着部
６  第１隙間
７  第２隙間
８  第１固定プレート
９  第２固定プレート
１０  第１ボルト部材
１１  第２ボルト部材
【図１】
0003219101.tif 000003
【図２】
0003219101.tif 000004